(57)【特許請求の範囲】
【請求項１】
フリーアクセスフロアを構築する際に用いる鋼板製の床パネルであって、周囲を折り曲げて形成した側面に、通線口を形成しうる切断線により輪郭づけられる切除部と脚部とを交互に設けた床パネルにおいて、切断線はスリットとノッチとの組合せで構成し、前記ノッチは側面下縁に近接して設けてなり、該ノッチをもって切除部は該切除部の左右に並ぶ脚部を互いに繋ぎ止めて、床パネルの側面に働く側面長手方向の引張力により前記脚部が開こうとすることを防止することを特徴とする床パネル。
【請求項２】
ノッチは、水平方向に設けた請求項１記載の床パネル。
【請求項３】
フリーアクセスフロアを構築する際に用いる鋼板製の溝蓋であって、断面略コの字状に折り曲げて形成した対向する側面に、通線口を形成しうる切断線により輪郭づけられる切除部と脚部とを交互に設けた溝蓋において、切断線はスリットとノッチとの組合せで構成し、前記ノッチは側面下縁に近接して設けてなり、該ノッチをもって切除部は該切除部の左右に並ぶ脚部を互いに繋ぎ止めて、溝蓋の側面に働く側面長手方向の引張力により前記脚部が開こうとすることを防止することを特徴とする溝蓋。
【請求項４】
ノッチは、水平方向に設けた請求項３記載の溝蓋。
【発明の詳細な説明】
【０００１】
【産業上の利用分野】
本発明は、フリーアクセスフロアの構築に用いる床パネルと溝蓋に関する。
【０００２】
【従来の技術】
基礎床面上に構築するフリーアクセスフロアには、鋼板製の床パネルと溝蓋とを組合せたものがあり、図４に見られるように、配線のために、床パネル18の側面19及び溝蓋26の側面27には通線口20、溝蓋22の側面23には通線口20,24を予め設けてある。床パネル18と溝蓋22,26は、通線口20,24を除いた側面19,23,27の残部を脚部21,25,28とし、この脚部21,25,28を基礎床面29に接地して支持する。
【０００３】
【発明が解決しようとする課題】
従来の床パネル又は溝蓋には、レイアウト変更等による配線の変更に対応するため、配線の有無に拘らず、予めすべての側面に通線口を設けておく必要があった。しかし、すべての側面に予め通線口を設けると、床パネル又は溝蓋の耐荷重性は低下し、この床パネル又は溝蓋に荷重を掛けた場合、側面長手方向に働く引張力が残部である脚部を前記側面長手方向に開かせる欠点をもたらすのである。
【０００４】
そこで、不必要な通線口を設けることによる耐荷重性の低下を防止した床パネル及び溝蓋について検討することとした。
【０００５】
【課題を解決するための手段】
その結果、開発したものが、フリーアクセスフロアを構築する際に用いる鋼板製の床パネルにおいて、通線口を形成しうる切断線により輪郭づけられる切除部を側面に設けてなる床パネルである。切断線は、ノッチ又はスリットからなるものがよく、前記ノッチは側面下縁に近接し、水平方向であるのが好ましい。
【０００６】
同様に、フリーアクセスフロアを構築する際に用いる鋼板製の溝蓋において、通線口を形成しうる切断線により輪郭づけられる切除部を側面に設ける。この溝蓋における切断線も、ノッチ又はスリットからなるものがよく、前記ノッチが側面下縁に近接し、水平方向であるのが好ましい。
【０００７】
【作用】
本発明の床パネル又は溝蓋は、切断線により輪郭づけられる切除部を、配線の必要に応じて適宜分離することで、特定の側面へ個別に通線口を形成することができる。このため、予めすべての側面に複数の通線口を設けておく従来とは異なり、不必要な通線口を設けることがなくなって、床パネルの耐荷重性の低下を防止できる。
【０００８】
切除部は、床パネル又は溝蓋の側面に働く側面長手方向の引張力により、左右に並ぶ脚部を互いに繋ぎ止め、この脚部が開こうとするのを防止する。切除部を輪郭づける切断線は、スリットとノッチとから構成することにより、ノッチの切断という容易な切除部の分離方法を提供でき、このノッチをもって前記脚部の繋ぎ止めを担わせることができる。側面下縁に近づくほど引張力が働いて、脚部の開きが大きくなるため、前記ノッチは、側面下縁に近接するほど脚部が開こうとするのを防ぎやすく、より効率的に耐荷重性の低下を防止することができる。また、こうしたノッチを水平方向に設けることで、ノッチを軸とした揺動による切除部の分離をより容易にすることができる。
【０００９】
【実施例】
以下、本発明の床パネルについて、図を参照しながら実施例を説明する。図１は、本発明の床パネル１と溝蓋２,３との組合せで基礎床面４上に構築したフリーアクセスフロア５の斜視図である。フリーアクセスフロア５は、床パネル１を所定間隔に配して床パネル１,１間に配線溝を形成し、この配線溝を溝蓋２,３で閉蓋して構築する。
【００１０】
図１に見られるように、床パネル１は鋼板製で、周囲を折り曲げて側面６を形成した方形をしており、すべての側面６へ、脚部８と交互に２個ずつの切除部７を設けている。溝蓋２,３は、鋼板を断面略コの字状に折り曲げてなり、溝蓋２には、対向する側面９それぞれに、中央に配線溝幅の切除部10を１個、この切除部10の両側へ床パネルのものと同形の切除部７を２個設けている。また、溝蓋３には、対向する側面11それぞれに、床パネルのものと同形の切除部７を２個ずつ設けている。
【００１１】
図２は、図１の床パネル１における切除部７を表した拡大斜視図で、図３は、図２中Ａ−Ａ拡大断面図である。本実施例では、切断線14を、スリット15とノッチ16との組合せで構成し、このノッチ16を側面下縁17に近接して水平方向に設けることで、床パネル１の耐荷重性の低下を効率よく防止すると共に、ノッチ16を軸として手で揺動させて切断するという、切除部７の容易な側面６からの分離を実現している。切除部を分離して開放したこの部分が、通線口12(溝蓋２の切除部10に対しては通線口13)となる。なお、溝蓋２,３の切除部10,７も、構造及び機能は同様であるので、説明は省略する。
【００１２】
以上の実施例のほか、切除部を輪郭づける切断線には、大部分をスリットで形成し、切除部の側縁の一部に垂直方向のノッチを配したものであるとか、切除部の輪郭上の一部に貫通孔を断続的に並べたものであるとか、種々考えられうる。また、スリットとノッチとを組合せた場合、スリットとノッチとの配置関係、ノッチの深さ又は断面形状等についても、床パネルの使用形態や要求される耐荷重性によって決定すればよい。更に、切除部についても、その輪郭は通線口の形状を決定する制約はあるものの原則自由であり、例えば大きな切除部内に小さな切除部を複数設けることも可能である。
【００１３】
【発明の効果】
本発明の床パネルと溝蓋は、脚部と繋がった状態で切除部を側面に残すことにより、床パネルの耐荷重性の低下を防止できる性能の向上と、必要に応じて切除部を側面より分離して通線口とすることができる利便性とを併せ持つ。つまり、これまでは通線口の必要はなかったが、レイアウト変更により改めて通線口が必要となったときに、必要最小限の通線口を容易に確保できるなど、床パネルの耐荷重性の低下を極力抑えて、かつ配線の容易さを損ねないのである。
【図面の簡単な説明】
【図１】本発明の床パネルと溝蓋で構築したフリーアクセスフロアの斜視図である。
【図２】同床パネルの切除部を表す拡大斜視図である。
【図３】図２中Ａ−Ａ拡大断面図である。
【図４】従来の床パネルと溝蓋で構築したフリーアクセスフロアの斜視図である。
【符号の説明】
１  床パネル
２  溝蓋
３  溝蓋
６  側面
７  切除部
８  脚部
９  側面
10  切除部
11  側面
12  通線口
13  通線口
14  切断線
11  スリット
12  ノッチ
【図１】
0003658427.tif 000002
【図２】
0003658427.tif 000003
【図３】
0003658427.tif 000004
【図４】
0003658427.tif 000005